(57)【要約】【課題】材料コスト、製造コストを抑制しつつ、騒音を効率的に低減し、電動送風機の温度上昇も抑制できる電気送風機およびそれを用いた電気掃除機を提供することを目的とする。【解決手段】外側面が露出したステータ７および自在に回転するロータ１１と、前記ロータ１１の出力軸２０に備えられたインペラ８と、前記インペラ８を覆い排気側に開口部１３を有するケース１０と、前記開口部１３を覆う遮蔽板１４とを備え、前記遮蔽板１４は、略中央部に排気部１４ａを有するもので、製造コスト及び材料コストの上昇を抑制しつつ、インペラで発生した気流とともに生じる騒音を遮音することができる。【選択図】  図３
2004225664.tif 000002
【特許請求の範囲】
【請求項１】
外側面が露出したステータおよび自在に回転するロータと、前記ロータの出力軸に備えられたインペラと、前記インペラを覆い排気側に開口部を有するケースと、前記開口部を覆う遮蔽板とを備え、前記遮蔽板は、略中央部に排気部を有する電動送風機。
【請求項２】
インペラの排気側に出力軸に向かう放射状の複数のリブを有するエアガイドを設けた請求項１記載の電動送風機。
【請求項３】
リブに当接するように遮蔽板を設けた請求項２記載の電動送風機。
【請求項４】
開口部に遮蔽板を圧入した請求項１〜３のいずれか１項に記載の電動送風機。
【請求項５】
開口部に対して遮蔽板は着脱自在である請求項１〜４のいずれか１項に記載の電動送風機。
【請求項６】
遮蔽板は通気性を有する請求項１〜５のいずれか１項に記載の電動送風機。
【請求項７】
遮蔽板は吸音性能を有する請求項１〜６のいずれか１項に記載の電動送風機。
【請求項８】
遮蔽板を軟質体で形成した請求項１〜７のいずれか１項に記載の電動送風機。
【請求項９】
ステータに温度検出部を設けた請求項１〜８のいずれか１項に記載の電動送風機。
【請求項１０】
電動送風機の入力を制御する制御装置を備え、前記遮蔽板を通過後の排気が、前記制御装置に当たるようにした請求項１〜９のいずれか１項に記載の電動送風機。
【請求項１１】
エアガイドにてステータを保持する請求項２〜１０のいずれか１項に記載の電動送風機。
【請求項１２】
請求項１〜１１のいずれか１項に記載の電動送風機を内蔵した電気掃除機。
【発明の詳細な説明】
【０００１】
【発明の属する技術分野】
本発明は、吸引風を発する電動送風機およびそれを用いた電気掃除機に関するものである。
【０００２】
【従来の技術】
従来の電気掃除機は図５、図６に示すものが一般的であり、以下、図面に基づいて説明する。
【０００３】
電動送風機２は、以下のように構成されている。電機子巻線が施された電機子コアと整流子とが出力軸２０に取り付けられて構成されるロータ１１が、負荷側ブラケット１８と反負荷側ブラケット２１を介して回転自在に備えられている。また、界磁コア７ａに界磁巻線７ｂが施され外表面が露出しているステータ７が、負荷側ブラケット１８に固着されており、カーボンブラシが内部に備えられたホルダー２２が反負荷側ブラケット２１に固定されている。また、負荷側ブラケット１８と反負荷側ブラケット２１は、前記ステータ７を介して結合されている。
【０００４】
また、電動送風機２は、前記出力軸２０に設けられ回転することで気流を発するインペラ８と、前記インペラ８の気流下流側に配され、前記インペラ８から流出する気流を徐々に圧力回復しながら前記負荷側ブラケット１８の内部へ気流を導く通風路を形成するエアガイド９と、これらを覆うファンケース１０とを備え前記ファンケース１０は、前記負荷側ブラケット１８に一体的に取り付けられ構成されている。
【０００５】
エアガイド９の負荷側ブラケット１８側（気流下流側）には、エアガイド９より排出される気流の一部を強制的に前記負荷側ブラケット１８の内部に流入させるためのリブＡ１９が、負荷側ブラケット１８の絞り形状に沿うように大きく気流下流側に突出して形成されている。よって、エアガイド９から排出される空気の一部はステータ７やロータ１１を効率的に冷却的するとともに、インペラ８で発生する騒音の遮音も行なっている（例えば、特許文献１参照）。
【０００６】
【特許文献１】
実願昭６２―１０３１２７号公報
【０００７】
【発明が解決しようとする課題】
しかしながら、上記従来の電動送風機２では、絞り形状を有する負荷側ブラケット１８が必要であり、製造コストが大きくなるとともに、エアガイド９が有するリブＡ１９が大きく気流下流側に突出する構成となるため、電動送風機２が大型化してしまい、そのため材料コストが増大するという課題があった。
【０００８】
本発明は上記課題を解決するもので、材料コスト、製造コストを抑制しつつ、騒音を効率的に低減し、電動送風機の温度上昇も抑制できる電気送風機およびそれを用いた電気掃除機を提供することを目的とする。
【０００９】
【課題を解決するための手段】
上記目的を達成するために本発明は、外側面が露出したステータおよび自在に回転するロータと、前記ロータの出力軸に備えられたインペラと、前記インペラを覆い排気側に開口部を有するケースと、前記開口部を覆う遮蔽板とを備え、前記遮蔽板は、略中央部に排気部を有するもので、製造コストの上昇を抑制しつつ、インペラで発生した気流とともに排出される騒音を遮音することができる。
【００１０】
【発明の実施の形態】
本発明の請求項１記載の発明は、外側面が露出したステータおよび自在に回転するロータと、前記ロータの出力軸に備えられたインペラと、前記インペラを覆い排気側に開口部を有するケースと、前記開口部を覆う遮蔽板とを備え、前記遮蔽板は、略中央部に排気部を有するもので、製造コスト及び材料コストの上昇を抑制しつつ、インペラで発生した気流とともに生じる騒音を遮音することができる。
【００１１】
本発明の請求項２記載の発明は、インペラの排気側に出力軸に向かう放射状の複数のリブを有するエアガイドを設けたもので、製造コスト及び材料コストの上昇を抑制しつつ、インペラで発生した気流とともに生じる騒音を遮音することができるとともに、遮蔽板によって遮断された排気の一部は、放射状のリブに沿って、出力軸方向に誘導され、ロータの巻線や界磁巻線を効率的に冷却することができる。
【００１２】
本発明の請求項３記載の発明は、インペラで発生した気流とともに生じる騒音を遮音することができるとともに、遮蔽板によって遮断された排気の一部は、放射状のリブに沿って、出力軸方向に誘導され、ロータの巻線や界磁巻線を効率的に冷却することができる。
【００１３】
本発明の請求項４記載の発明は、開口部に遮蔽板を圧入したもので、遮蔽板と開口部との隙間が減少し、遮音性が向上する。
【００１４】
本発明の請求項５記載の発明は、開口部に対して遮蔽板は着脱自在であるもので、電動送風機のメンテナンス性が向上する。
【００１５】
本発明の請求項６記載の発明は、遮蔽板は通気性を有するもので、インペラからの排気を遮蔽する圧力損失を低減しつつ、遮音効果も得ることができる。
【００１６】
本発明の請求項７記載の発明は、遮蔽板は吸音性能を有するもので、遮音効果に加えて吸音効果も得ることができ、騒音低減効果がさらに向上する。
【００１７】
本発明の請求項８記載の発明は、遮蔽板を軟質体で形成したもので、電動送風機の振動を掃除機本体に伝達することを抑制することもでき、振動低減効果も得られる。
【００１８】
本発明の請求項９記載の発明は、ステータに温度検出部を設けたもので、冷却されたステータの巻線の温度検出の時間的な追従性が良化する。
【００１９】
本発明の請求項１０記載の発明は、電動送風機の入力を制御する制御装置を備え、前記遮蔽板を通過後の排気が、前記制御装置に当たるようにしたもので、効率的に制御装置を冷却することができる。
【００２０】
本発明の請求項１１記載の発明は、エアガイドにてステータを保持するもので、製造コスト及び材料コストの上昇を抑制しつつ、インペラで発生した気流とともに生じる騒音を遮音することができる。
【００２１】
本発明の請求項１２記載の発明は、請求項１〜１１のいずれか１項に記載の電動送風機を内蔵した電気掃除機で、材料コスト、製造コストを抑制しつつ、騒音を効率的に低減し、電動送風機の温度上昇も抑制できる電気送風機およびそれを用いた電気掃除機を提供できる。
【００２２】
【実施例】
以下に本発明の一実施例を図１〜図４を用いて説明する。なお、上記従来例と同一部品には同一符号を付し、その説明は省略する。
【００２３】
図１、図２において、掃除機本体１は、吸引風を発する電動送風機２と前記電動送風機２を駆動するための２次電池３と、前記電動送風機２の入力を制御するための制御装置４を内蔵し、前記電動送風機２の吸気上流側には着脱可能に装着される塵埃を集塵するための集塵体５と、集塵体５を上方から覆い回動自在な集塵室蓋６を備えている。
【００２４】
図３、図４において、電動送風機２は、インペラ８、エアガイド９、ファンケース１０等からなるファン部と、回転自在なロータ１１と外側面が露出したステータ７からなるモータ部を備え、前記ファン部より前記モータ部側に前記インペラ８の回転にて発せられた気流を排気として排出する。インペラ８の吸気下流側には、前記インペラ８から流出する気流を徐々に圧力回復するエアガイド９を配設し、前記エアガイド９には、ステータ７の中央部で回転するロータ１１の軸中心方向に向かう放射状の複数のリブ１２を設け、ステータ７の中央部で回転するロータ１１の軸中心方向へ気流を導く通風路の役割を果たしている。また、反負荷側ブラケット２１を、前記ステータ７を介して、前記エアガイド９に直接螺子にて取り付けることで、前記ステータ７は保持されている。
【００２５】
ファンケース１０の吸気下流側は開口部１３を有しており、前記開口部１３からの外周部近傍から放出する排気の一部を遮断し、前記遮断された排気が、前記ステータ７の中心方向に誘導されるように、かつ前記リブ１２に当接するように前記開口部１３に、略中央部に略円形状の排気部１４ａなる開口を有する遮蔽板１４を着脱できるように圧入している。前記遮蔽板１４は、通気性を有し軟質材である発泡ゴムで、吸音性能も有している。また、前記遮蔽板１４は切り欠き部１５を有し、切り欠き部１５から排出された排気が衝突する位置に、図２に示すように、前記制御装置４に設けられた冷却フィン１６を配置している。また、ステータ７に接して、かつ誘導された排気の通路上に温度検出装置１７を配置している。
【００２６】
上記構成による作用は以下の通りである。
【００２７】
吸音材からなる遮蔽板１４によって、インペラ８で発生した気流とともに生じる騒音を遮音及び吸音することができる。また、遮断された排気の一部は、放射状のリブ１２に沿って、ロータ１１の軸方向に誘導され、温度が上昇するロータ１１の巻線やステータ７を効率的に冷却することができる。遮蔽板１４は平面状の単純形状であるため、製造コストも安価である。また、遮蔽板１４を圧入することで遮蔽板１４とファンケース１０の開口部１３との隙間が減少し、遮音性が向上する。また、切り欠き部１５から排出された排気は、ロータ１１の巻線を通過していないため温度が低く、その低音の排気が制御装置４に設けられた冷却フィン１６に直接誘導されるため、効率的に前記制御装置４を冷却することができる。また、温度検出装置１７がステータ７に接して設けられており、かつ誘導された排気の通路上に配置されているため、冷却されたステータ７やロータ１１の温度検出の時間的な追従性が良化する。
【００２８】
【発明の効果】
本発明によれば、材料コスト、製造コストを抑制しつつ、騒音を効率的に低減し、電動送風機の温度上昇も抑制できる電気送風機およびそれを用いた電気掃除機を提供できる。
【図面の簡単な説明】
【図１】本発明の一実施例を示す掃除機本体の側面図
【図２】同掃除機本体の上面図
【図３】同電動送風機の側部分断面図
【図４】図３のＡ矢視図
【図５】従来の電動送風機の展開図
【図６】同電動送風機の側部分断面図
【符号の説明】
２  電動送風機
７  ステータ
８  インペラ
９  エアガイド
１０  ファンケース
１１  ロータ
１２  リブ
１３  開口部
１４  遮蔽板
１４ａ  排気部
【図１】
2004225664.tif 000003
【図２】
2004225664.tif 000004
【図３】
2004225664.tif 000005
【図４】
2004225664.tif 000006
【図５】
2004225664.tif 000007
【図６】
2004225664.tif 000008